(57)【特許請求の範囲】
【請求項１】
本体;
前記本体に回転可能に装着されるディスプレイミラーユニット;及び
サウンドを出力するように前記本体に装着されるスピーカーを含み、
前記ディスプレイミラーユニットは、
ユーザーの音声信号またはタッチ信号に応じて所定のディスプレイモードを実行して、イメージを出力するディスプレイモジュール;
一部は光を反射し、他の一部は前記ディスプレイモジュールから出力されたイメージを透過させることができるように構成されるメイクミラー;
前記メイクミラーを固定するための支持フレーム;及び
前記支持フレームの後面に装着されるムードランプを含み、
前記支持フレームは、地面と水平な方向に延びる仮想の第１回転軸を中心に前記本体に対して回転可能に構成されるヒンジ支持部と、前記ミラー面に対して垂直であり、前記第１回転軸と垂直な仮想の第２回転軸を中心に前記ヒンジ支持部に対して回転可能に構成され、前記メイクミラーが固定されるフレーム部を含み、前記メイクミラーと地面に対する角度が変化するように、前記本体に対して回転したり、前記メイクミラーの周方向に沿って回転することができるように構成され、前記支持フレームが前記メイクミラーの周方向に回転されるとき、前記ディスプレイモジュールは、横方向に配向されたり、縦方向に配向可能であり、
前記ムードランプは、
前記ディスプレイミラーユニットの後面が床面を向くように、前記本体から特定の角度で回転されるときに、床面に向かってムード照明を照射するように制御され得る、
ディスプレイを備えて人工知能ボイスアシスタントと連動するスマートメイクミラーデバイス。
【請求項２】
前記ディスプレイミラーユニットは、
ユーザーの肌の状態の撮影が可能なように前記支持フレームに備えられるカメラ;及び
前記支持フレームの一端部に装着され、ユーザーの音声信号を受信するマイクをさらに含む、
請求項１に記載のディスプレイを備えて人工知能ボイスアシスタントと連動するスマートメイクミラーデバイス。
【請求項３】
前記ディスプレイミラーユニットは、
ユーザーにエルイディ照明を提供するように前記支持フレームの縁に設けられるリングライト、
をさらに含む、
請求項２に記載のディスプレイを備えて人工知能ボイスアシスタントと連動するスマートメイクミラーデバイス。
【請求項４】
前記ディスプレイミラーユニットは、
ユーザーを感知に応じて前記リングライトのオンオフモードを作動させる認識センサー;及び
ユーザーによって一端から他端に接触移動されるとき、前記リングライトの明るさ調節モードを作動するライト調節モジュールをさらに含む、
請求項３に記載のディスプレイを備えて人工知能ボイスアシスタントと連動するスマートメイクミラーデバイス。
【請求項５】
前記ディスプレイモジュールは、
前記支持フレームが周方向に所定の角度で回転されるとき、ユーザーの音声信号によって人工知能ボイスアシスタントと連動するように制御される、
請求項３に記載のディスプレイを備えて人工知能ボイスアシスタントと連動するスマートメイクミラーデバイス。
【請求項６】
前記ディスプレイモードは、
ユーザーの音声信号またはタッチ信号に応じて所定のアルゴリズムに基づいて生活情報を提供する人工知能ボイスアシスタントモード;
前記カメラによって撮影されたユーザーの肌の状態を診断する肌診断モード;及び
前記肌診断モードによる肌診断結果に応じて、ユーザーの肌の状態に適した化粧用品の情報を提供するエーアールメイクモードを含む、
請求項３に記載のディスプレイを備えて人工知能ボイスアシスタントと連動するスマートメイクミラーデバイス。
【請求項７】
前記支持フレームには、
前記ディスプレイミラーユニットから発生する熱を外部に放出させるための複数の熱放出ホールが形成される、
請求項３に記載のディスプレイを備えて人工知能ボイスアシスタントと連動するスマートメイクミラーデバイス。
【請求項８】
前記ムードランプは
前記支持フレームの後面中心部を挟んで周方向に連続するラインエルイディ形態で提供される、
請求項３に記載のディスプレイを備えて人工知能ボイスアシスタントと連動するスマートメイクミラーデバイス。
【請求項９】
前記本体は、
下部外周面に沿って複数のスピーカーグリルホールが形成され、上端に前記ディスプレイミラーユニットが回転可能に装着されるタワーハウジング;
前記タワーハウジングの前面に設けられるコントロールスイッチ;及び
電源供給のために前記ハウジングの後面に設けられる充電ポートを含む、
請求項１に記載のディスプレイを備えて人工知能ボイスアシスタントと連動するスマートメイクミラーデバイス。
【請求項１０】
前記本体は、
床面に対する固定のために、前記タワーハウジングの底面に備えられる弾性素材のサクションカップパッドをさらに含む、
請求項９に記載のディスプレイを備えて人工知能ボイスアシスタントと連動するスマートメイクミラーデバイス。
【請求項１１】
前記コントロールスイッチは、
前記音声信号を介して前記ディスプレイミラーユニットの動作を制御する人工知能ボイスアシスタントとの連動をオンオフする人工知能ボイスアシスタントスイッチ;
ユーザーの携帯電話と前記スピーカーとの間のブルートゥース機能をオンオフするためのブルートゥースのスイッチ;及び
前記スピーカーの音量を調節するためのボリュームスイッチを含む、
請求項９に記載のディスプレイを備えて人工知能ボイスアシスタントと連動するスマートメイクミラーデバイス。
【請求項１２】
前記人工知能ボイスアシスタントスイッチがオン（Ｏｎ）されると、前記ディスプレイモジュールが周方向に所定の角度回転されるとき、ユーザーの音声信号によって人工知能ボイスアシスタント機能が実行されるように制御される、
請求項１１に記載のディスプレイを備えて人工知能ボイスアシスタントと連動するスマートメイクミラーデバイス。
【請求項１３】
前記ディスプレイモジュールが横方向に配向されたとき、人工知能ボイスアシスタントモードが実行され、前記ディスプレイモジュールが縦方向に配向されたとき、肌診断モードまたはエーアールメイクモードが実行される、
請求項６に記載のディスプレイを備えて人工知能ボイスアシスタントと連動するスマートメイクミラーデバイス。
【発明の詳細な説明】
【技術分野】
【０００１】
本発明は、ディスプレイを備えて人工知能ボイスアシスタントと連動するスマートメイクミラーデバイスに関するものである。
【背景技術】
【０００２】
一般的に消費者は自分の肌の状態に最適の化粧品を求めているが、大多数の人に肌のトラブルを誘発させないように生産された化粧品が、特定の消費者の好みや肌の状態に適合することは非常に難しい。
【０００３】
高価なブランドの化粧品も、各々の消費者個人の肌の状態に合わせたカスタマイズされた化粧品ではなく、大量生産される化粧品に過ぎず、価格があまりにも高価であるにもかかわらず、消費者一人一人の肌の状態に合った正確な機能を提供していない。
【０００４】
そのため、従来は、肌診断装置を利用して顧客の肌の状態を測定し、測定された顧客の肌の状態の情報に基づいて化粧品の原料成分比を適切に調節したカストマイズされた化粧品を生産して顧客に提供することもある。
【先行技術文献】
【特許文献】
【０００５】
【特許文献１】韓国公開特許１０−２０１８−０１０８３７６（２０１８.１０.４.）
【発明の概要】
【０００６】
本発明は、上記のような背景から提供されたものであり、ディスプレイを備えて人工知能ボイスアシスタントと連動するスマートメイクミラーデバイスを提供することを目的とする。
【０００７】
また、オールインワン多機能スマートメイクミラーを目的とし、１つのデバイスにメイクミラー、人工知能ボイスアシスタント（人工知能秘書プラットフォーム）機能、ムードランプ、音楽再生のためのスピーカーを一体型で提供することを目的とする。
【０００８】
また、本発明の一実施形態では、スマートデバイスを通じてユーザーに自分の肌の状態の簡単な診断を提供し、肌の状態に適した関連する化粧品を人工知能アルゴリズムによってユーザーに推薦する機能を提供することを目的とする。
【０００９】
また、本発明の一実施形態は、ミラーに搭載されたＬＣＤディスプレイを介してボイスアシスタント（人工知能秘書プラットフォーム）と連動して音楽再生、天気情報、ニュースなどの情報を提供し、普段はブルートゥース（登録商標）と連動してスマートフォンの音楽を再生することができ、ミラーユニットを９０度回転させてムードランプ照明の機能を提供するなど、１つのデバイスにさまざまな機能を適用して、ユーザーの利便性を増大させることを目的とする。
【課題の解決手段】
【００１０】
上記目的を達成するための本発明の実施形態に係るディスプレイを備えて人工知能ボイスアシスタントと連動するスマートメイクミラーデバイスは、本体;前記本体に回転可能に装着されるディスプレイミラーユニット;及びサウンドを出力するように前記本体に装着されるスピーカーを含み、前記ディスプレイミラーユニットは、ユーザーの音声信号またはタッチ信号に応じて所定のディスプレイモードを実行して、イメージを出力するディスプレイモジュール;一部は光を反射し、他の一部は前記ディスプレイモジュールから出力されたイメージを透過させることができるように構成されるメイクミラー;前記メイクミラーを固定するための支持フレーム;及び前記支持フレームの後面に装着されるムードランプを含み、前記支持フレームは、地面と水平な方向に延びる仮想の第１回転軸を中心に前記本体に対して回転可能に構成されるヒンジ支持部と、前記ミラー面に対して垂直であり、前記第１回転軸と垂直な仮想の第２回転軸を中心に前記ヒンジ支持部に対して回転可能に構成され、前記メイクミラーが固定されるフレーム部を含み、前記メイクミラーと地面に対する角度が変化するように、前記本体に対して回転したり、前記メイクミラーの周方向に沿って回転することができるように構成され、前記支持フレームが前記メイクミラーの周方向に回転されるとき、前記ディスプレイモジュールは、横方向に配向されたり、縦方向に配向可能であり、前記ムードランプは、前記ディスプレイミラーユニットの後面が床面を向くように、前記本体で特定の角度で回転されるときに、床面に向かってムード照明を照射するように制御され得る、ディスプレイを備えて人工知能ボイスアシスタントと連動するスマートメイクミラーデバイスが提供され得る。
【００１１】
また、前記ディスプレイミラーユニットは、ユーザーの肌の状態の撮影が可能なように前記支持フレームに備えられるカメラ;及び前記支持フレームの一端部に装着され、ユーザーの音声信号を受信するマイクをさらに含む、ディスプレイを備えて人工知能ボイスアシスタントと連動するスマートメイクミラーデバイスが提供され得る。
【００１２】
また、前記ディスプレイミラーユニットは、ユーザーにエルイディ照明を提供するように前記支持フレームの縁に設けられるリングライトをさらに含む、ディスプレイを備えて人工知能ボイスアシスタントと連動するスマートメイクミラーデバイスが提供され得る。
【００１３】
また、前記ディスプレイミラーユニットは、ユーザーの感知に応じて前記リングライトのオンオフモードを作動させる認識センサー;及びユーザーによって一端から他端に接触移動されるとき、前記リングライトの明るさ調節モードを作動するライト調節モジュールをさらに含む、ディスプレイを備えて人工知能ボイスアシスタントと連動するスマートメイクミラーデバイスが提供され得る。
【００１４】
また、前記ディスプレイモジュールは、前記支持フレームが周方向に所定の角度で回転されるとき、ユーザーの音声信号によって人工知能ボイスアシスタントと連動するように制御される、ディスプレイを備えて人工知能ボイスアシスタントと連動するスマートメイクミラーデバイスが提供され得る。
【００１５】
また、前記ディスプレイモードは、ユーザーの音声信号またはタッチ信号に応じて所定のアルゴリズムに基づいて生活情報を提供する人工知能ボイスアシスタントモード;前記カメラによって撮影されたユーザーの肌の状態を診断する肌診断モード;及び前記肌診断モードによる肌診断結果に応じて、ユーザーの肌の状態に適した化粧用品の情報を提供するエーアールメイクモードを含む、ディスプレイを備えて人工知能ボイスアシスタントと連動するスマートメイクミラーデバイスが提供され得る。
【００１６】
また、前記支持フレームには、前記ディスプレイミラーユニットから発生する熱を外部に放出させるための複数の熱放出ホールが形成される、ディスプレイを備えて人工知能ボイスアシスタントと連動するスマートメイクミラーデバイスが提供され得る。
【００１７】
また、前記ムードランプは、前記支持フレームの後面中心部を挟んで周方向に連続するラインエルイディ形態で提供される、ディスプレイを備えて人工知能ボイスアシスタントと連動するスマートメイクミラーデバイスが提供され得る。
【００１８】
また、前記本体は、下部外周面に沿って複数のスピーカーグリルホールが形成され、上端に前記ディスプレイミラーユニットが回転可能に装着されるタワーハウジング;前記タワーハウジングの前面に設けられるコントロールスイッチ;および電源供給のために前記ハウジングの後面に設けられる充電ポートを含むことができる。
【００１９】
また、前記本体は、床面に対する固定のために、前記タワーハウジングの底面に備えられる弾性素材のサクションカップパッドをさらに含む、ディスプレイを備えて人工知能ボイスアシスタントと連動するスマートメイクミラーデバイスが提供され得る。
【００２０】
また、前記コントロールスイッチは、前記音声信号を介して前記ディスプレイミラーユニットの動作を制御する人工知能ボイスアシスタントとの連動をオンオフするボイスアシスタントスイッチ；ユーザーの携帯電話と前記スピーカーとの間のブルートゥース機能をオンオフするためのブルートゥーススイッチ；及び前記スピーカーの音量を調節するためのボリュームスイッチを含む、ディスプレイを備えて人工知能ボイスアシスタントと連動するスマートメイクミラーデバイスが提供され得る。
【００２１】
また、前記ボイスアシスタントスイッチがオン（Ｏｎ）されると、前記ディスプレイモジュールが周方向に所定の角度回転されるとき、ユーザーの音声信号によって人工知能ボイスアシスタント機能が実行されるように制御される、ディスプレイを備えて人工知能ボイスアシスタントと連動するスマートメイクミラーデバイスが提供され得る。
【００２２】
また、前記ディスプレイモジュールが横方向に配向されたとき、人工知能ボイスアシスタントモードが実行され、前記ディスプレイモジュールが縦方向に配向されたとき、肌診断モードまたはエーアールメイクモードが実行される、ディスプレイを備えて人工知能ボイスアシスタントと連動するスマートメイクミラーデバイスが提供され得る。
【発明の効果】
【００２３】
本発明の一実施形態によると、ユーザーの肌の状態を簡単に診断してもらうことができ、診断結果に応じて肌の状態に適した美容製品（化粧品）を勧められて便利に使用することができる。また、化粧品メーカーの立場では、本発明を使用するユーザーが毎日使用する肌の選好度および興味のある分野などの顧客のデータを収集して、それを反映した製品を開発することができ、広告、広報およびマーケティングの手段として活用することができ、本発明による双方向コミュニケーションを通じて、顧客との相互の緊密なコミュニケーションができるという利点がある。
【００２４】
また、本発明の一実施形態によると、ユーザーの音声信号を通じてユーザーが希望するミュージックはもちろん、生活情報（天気予報、ビューティーコンテンツ、最新のトレンドなど）を多様に提供してもらうことができるという利点がある。
【００２５】
また、本発明の一実施形態によると、オールインワン多機能スマートメイクミラーが提供され得る。つまり、１つのデバイスにメイクミラー、人工知能ボイスアシスタント（人工知能秘書プラットフォーム）の機能、ムードランプ、音楽再生のためのスピーカーを一体型で提供するため、それぞれの機能ごとに製品を別途購入しなくても、１つのデバイスでさまざまな機能を利用することができるため、スペースの効率的な活用及び購入コストを削減できるという利点がある。
【００２６】
また、本発明の実施形態によると、メイクミラーの前面に設けられたリングライトを通じてスキンケアに役立つエルイディ照明を提供してもらうことができ、メイクミラーの後面を床面に向かって回転させると、メイクミラーの後面をムードランプとして使用することができるという利点がある。
【図面の簡単な説明】
【００２７】
【図１】図１は、本発明の一実施形態に係るディスプレイを備えて人工知能ボイスアシスタントと連動するスマートメイクミラーデバイスの前方側を示す斜視図である。
【図２】図２は、本発明の一実施形態に係るディスプレイを備えて人工知能ボイスアシスタントと連動するスマートメイクミラーデバイスの後方側を示す側面図である。
【図３】図３は、本発明の一実施形態に係るディスプレイを備えて人工知能ボイスアシスタントと連動するスマートメイクミラーデバイスを示す正面図である。
【図４】図４は、図３のディスプレイミラーユニットが周方向に９０度回転するとき、ディスプレイを備えて人工知能ボイスアシスタントと連動するスマートメイクミラーデバイスを示す正面図である。
【図５】図５は、本発明の一実施形態によって、ディスプレイを備えて人工知能ボイスアシスタントと連動するスマートメイクミラーデバイスのムードランプが作動した状態を示す状態図である。
【図６】図６は、本発明の一実施形態に係るディスプレイを備えて人工知能ボイスアシスタントと連動するスマートメイクミラーデバイスの制御フローを示すブロック図である。
【発明を実施するための具体的な内容】
【００２８】
まず、各図面の構成要素に参照符号を付加することにおいて、同一の構成要素に対しては、たとえ他の図面上に表示されても、可能な限り同一の符号を附すことに留意しなければならない。また、本発明を説明するにおいて、関連した公知の構成または機能に対する具体的な説明が本発明の要旨を曖昧にする可能性があると判断される場合には、その詳細な説明は省略することとする。
【００２９】
以下では、添付された図面に基づいて本発明の実施形態を詳細に説明する。
【００３０】
図１〜図６に示すように、本発明の一実施形態によるディスプレイを備えて人工知能ボイスアシスタントと連動するスマートメイクミラーデバイス１０、以下「スマートデバイス１０」と言う。）は、本体１００、ディスプレイミラーユニット２００、スピーカー３００、バッテリー４００及びコントローラ５００を含むことができる。
【００３１】
具体的に、本体１００は、ディスプレイミラーユニット２００を回転可能に支持することができる。このような本体１００は、円錐のタワー形態を持つことができる。本体１００の下部周面にはスピーカー３００が備えられることができ、その内部にはバッテリー４００が備えられ得る。
【００３２】
本体１００は、タワーハウジング１１０、コントロールスイッチ１２０、充電ポート１３０及びサクションカップパッド１４０を含むことができる。
【００３３】
本体１００のタワーハウジング１１０は、ユーザーの把持が容易でありながら、ディスプレイミラーユニット２００を安定的に支持するように円錐形のタワー形態を持つことができる。本実施形態において、タワーハウジング１１０は、円錐形のタワー形態で構成されるが、これに限定されず、タワーハウジング１１０の形態は多様に変更され得ることは勿論である。
【００３４】
タワーハウジング１１０の下部外周面には、複数のスピーカーグリルホール１１１が形成され得る。スピーカーグリルホール１１１は、タワーハウジング１１０の下部周面に沿って周方向に延長されるため、スピーカー３００から出力されたサウンドは、タワーハウジング１１０の放射方向に提供することができる。
【００３５】
タワーハウジング１１０の上端には、ディスプレイミラーユニット２００が回転可能に装着され得る。ディスプレイミラーユニット２００は、地面と平行に延長される軸を中心にタワーハウジング１１０に対して回転され得る。また、タワーハウジング１１０の上端は、ヒンジを介してディスプレイミラーユニット２００に回転可能に結合され得る。
【００３６】
コントロールスイッチ１２０は、ディスプレイミラーユニット２００の動作制御のために、タワーハウジング１１０の前面に設けられ得る。スマートデバイス１０は、コントロールスイッチ１２０を介して人工知能ボイスアシスタント（人工知能秘書プラットフォーム）の機能が実行されるように操作され得る。コントロールスイッチ１２０は、人工知能ボイスアシスタントスイッチ１２１、ブルートゥーススイッチ１２２、ボリュームスイッチ１２３、およびスリープスイッチ１２４を含むことができる。人工知能ボイスアシスタントスイッチ１２１は、マイク２５０を介して入力される音声信号を通じてディスプレイミラーユニット２００の動作を制御する人工知能ボイスアシスタントと連動する機能をオンオフすることができる。ブルートゥーススイッチ１２２は、ユーザーの携帯電話とスピーカー３００との間のブルートゥース機能をオンオフすることができる。ボリュームスイッチ１２３は、スピーカー３００の音量が大きくなったり、小さくなるように調節することができる。スリープスイッチ１２４は、ディスプレイミラーユニット２００のＬＣＤディスプレイを一時的に切る機能を提供することができる。
【００３７】
一例として、図４に示すように、人工知能ボイスアシスタントスイッチ１２１がユーザーによってオン（Ｏｎ）されると、ディスプレイモジュール２１０が周方向に所定角度回転（一例として、正面に対して反時計回りに９０度）されるとき、ユーザーの音声信号によって人工知能ボイスアシスタント機能が実行されるように制御され得る。
【００３８】
ここで、人工知能ボイスアシスタント機能は、マイク２５０を介して受信された音声信号を、単語や文章に変換する音声認識技術が適用された人工知能ボイスアシスタント（人工知能秘書プラットフォーム）で実現され得る。このような人工知能ボイスアシスタントの例としては、アマゾン社の「アレクサ」、グーグルの「アシスタント」、ＳＫテレコムの「ヌグ（ＮＵＧＵ）」、ネイバーの「クローバ」などがある。人工知能ボイスアシスタント機能は、ユーザーの音声信号を入力信号として処理し、所定のアルゴリズムによって検索はもちろん、音楽再生、日程管理、アラームサービス予約案内機能、スピーカー作動など、さまざまな人工知能秘書サービスを提供することができる。この人工知能ボイスアシスタント機能は、通常の人工知能ボイスアシスタント機能と対応する概念であるため、これに関する詳細な説明は省略することとする。
【００３９】
また、人工知能ボイスアシスタントは、ネットワークハブを利用して、周辺の電子製品の動作を制御することができる。例えば、ユーザーが電子製品（スマートＴＶ、スマートエアコン、スマートライト、スマートガードシステムなど）を作動させる音声信号を、本発明に印加すると、人工知能ボイスアシスタントは、赤外線信号発生部（図示せず）を介して、電子製品を動作させるためのリモコン機能を実行することができる。
【００４０】
充電ポート１３０は、ディスプレイミラーユニット２００、スピーカー３００、バッテリー４００などへの電源供給のために、タワーハウジング１１０の後面に設けられ得る。充電ポート１３０は、本体１００に内蔵されたバッテリー４００と外部電源との間を電気的に連結することができる。バッテリー４００は、ディスプレイミラーユニット２００と電気的に連結されるため、ディスプレイミラーユニット２００は、バッテリー４００を通じて電源供給を受けることもできる。
【００４１】
サクションカップパッド１４０は、タワーハウジング１１０の底面に備えられるシリコンのような弾性材料を含むことができる。サクションカップパッド１４０は、本体１００の底面に対するテーブルの底面の密着力を増加させることで、本体１００をテーブルの底面に固定することができる。
【００４２】
ディスプレイミラーユニット２００は、ディスプレイモジュール２１０、メイクミラー２２０、支持フレーム２３０、カメラ２４０、マイク２５０、リングライト２６０、ムードランプ２７０、認識センサー２９０及びライト調節モジュール２８０を含むことができる。
【００４３】
ディスプレイモジュール２１０は、ユーザーの音声信号またはタッチ信号に応じて所定のディスプレイモード（アプリケーション、プログラミングなど）を実行して、イメージを出力することができるスマート端末を含むことができる。
【００４４】
ここで、ディスプレイモードは、人工知能ボイスアシスタントモード、肌診断モード及びエーアール（ＡＲ）メイクモードを含むことができる。人工知能ボイスアシスタントモードは、ユーザーの音声信号またはタッチ信号に応じて所定のアルゴリズム、例えば、通常のディスプレイモジュール２１０の人工知能ボイスアシスタントで実現できるアルゴリズム、またはサーバーから該当情報を提供してもらうためのアルゴリズムなどに応じて様々な情報を提供することができる。このようなアルゴリズムによって提供される情報は、例えば、天気などの生活情報、人物、事物などの情報であり得るが、本発明の思想が必ずしもこれに限定されるものではない。ディスプレイモジュール２１０に適用される人工知能ボイスアシスタントは、通常のスマート端末で実現可能な人工知能ボイスアシスタントの機能と対応するため、これに関する詳細な説明は省略することとする。
【００４５】
たとえば、人工知能ボイスアシスタントモードでは、ユーザーの音声信号が受信されると、既に設定されているアルゴリズムによって、天気情報、ビューティーコンテンツ情報、最新のトレンド情報、メイク情報、ヘア及びネイル関連情報などを音声で提供したり、ディスプレイモジュール２１０の画面で提供することができる。
【００４６】
肌診断モードは、カメラ２４０によってユーザーの肌の状態が撮影されると、撮影された肌の状態に関する情報（毛穴、赤み、しわ、肌のキメ、くすみなど）を利用して、ユーザーの肌の状態を診断することができる。
【００４７】
エーアールメイクモードは、肌診断モードによってユーザーの肌の状態が診断されると、ユーザーの肌診断結果に応じて、ユーザーの肌の状態に適した化粧用品（化粧品、スキンケアなど）の情報がユーザーに推薦されて便利に利用することができる。また、化粧品メーカーの立場では、本発明を使用するユーザーが毎日使用する肌の選好度および興味のある分野などの顧客のデータを収集して、それを反映した製品を開発することができ、広告、広報、およびマーケティングの手段として活用することができ、本発明による双方向コミュニケーションを通じて、顧客と相互に緊密なコミュニケーションを行うことができる。
【００４８】
本実施形態では、ディスプレイモジュール２１０のディスプレイモードとして、人工知能ボイスアシスタントモード、肌診断モード、エーアールメイクモードについて説明したが、本発明の思想が必ずしもこれに限定されるものではなく、ディスプレイモジュール２１０は、他にも様々な種類のディスプレイモードを実現することができる。
【００４９】
これらのディスプレイモジュール２１０は、回転により横方向または縦方向に選択的に配向され得る。ディスプレイモジュール２１０が横方向に配向されたとき、複数のディスプレイモードのうちいずれか一部が実行されることができ、縦方向に配向されたとき、複数のディスプレイモードのうち他の一部が実行されることができる。ディスプレイモジュール２１０は、長方形の形態で提供され得る。
【００５０】
例えば、ディスプレイモジュール２１０は、横方向に配向されたときには人工知能ボイスアシスタントモードが実行されることができ、縦方向に配向されたとき、肌診断モードまたはエーアールメイクモードが実行されることができる。ここで、横方向はディスプレイミラーユニット２００が立てられるように回転された状態で、メイクミラー２２０のミラー面および地面に平行した方向を意味し、縦方向は、この横方向と垂直になり、メイクミラー２２０のミラー面に平行な方向を意味する。
【００５１】
メイクミラー２２０は、光の一部を反射させ、一部は透過させることができるワンウェイミラー（ｏｎｅ−ｗａｙ  ｍｉｒｒｏｒ）と理解され得る。メイクミラー２２０は、特殊コーティング処理して、光の明るさに応じて鏡のようにミラー機能を提供することができ、透視が可能なガラス機能（透過機能）を提供することができる。ミラーの片側が明るく点灯され、他の方が暗いとき、単方向伝送認識がなされることができる（透過機能）。メイクミラー２２０がミラーモードに置かれるか、透過モードに置かれるかはコントローラ５００のスリープスイッチ１２４によって制御され得る。
【００５２】
支持フレーム２３０は、本体１００に対して前後方向に回転可能に本体１００に連結されたヒンジを介して本体１００の上端に連結され得る。このような支持フレーム２３０は、ヒンジを支持するためのヒンジ支持部２３２と、このようなヒンジ支持部２３２を囲むフレーム部２３３を含むことができる。つまり、支持フレーム２３０は、本体１００に対して地面方向に平行した仮想の軸（第１回転軸Ｒ１）を中心に回転することができる。
【００５３】
また、支持フレーム２３０は、その周方向に沿って回転可能に構成され得る。つまり、支持フレーム２３０は、メイクミラー２２０のミラー面に対して垂直方向に延長され、第１回転軸Ｒ１とは垂直である仮想の軸（第２回転軸Ｒ２）を中心に回転することができる。このような支持フレーム２３０は、ヒンジ支持部２３２を中心にフレーム部２３３が回転され得る。このような支持フレーム２３０は、円盤形態で提供され得る。支持フレーム２３０が周方向に回転されることで、ディスプレイモジュール２１０は、横方向に配向されたり、縦方向に配向され得る。
【００５４】
支持フレーム２３０は、その前面にメイクミラー２２０が配置されるようにメイクミラー２２０を固定させることができ、支持フレーム２３０の後面にはムードランプ２７０が設けられ得る。支持フレーム２３０には、複数の熱放出ホール２３１が形成され得る。複数の熱放出ホール２３１は、ディスプレイミラーユニット２００から発生する熱を外部に放出させることができる通路を提供することができる。
【００５５】
カメラ２４０は、ユーザーの肌の状態の撮影が可能なように支持フレーム２３０の上端部に備えられ得る。カメラ２４０のレンズはシャッター２５１によってオープンまたはクローズされることができる。カメラ２４０によって撮影された映像信号は、ディスプレイモジュール２１０に提供され得る。
【００５６】
マイク２５０（Ｍｉｃｒｏｐｈｏｎｅｓ）は、支持フレーム２３０の一端部に装着され、ユーザーの音声信号を受信することができる。一例として、マイク２５０は、支持フレーム２３０の上端に離隔して配置される一対で提供され得る。もちろん、一対以外にも、マイク２５０は、対をなす４つまたは６つで提供されることもできるだろう。
【００５７】
マイク２５０は、支持フレーム２３０の上端に配置されることで、ユーザーの音声信号をより効果的に認識することができる。もちろん、これに限定されず、マイク２５０は、支持フレーム２３０の側端に配置されることもできるだろう。マイク２５０を介して受信された音声信号は、ディスプレイモジュール２１０に提供され得る。
【００５８】
リングライト２６０は、支持フレーム２３０の縁に沿ってリング状に提供され得る。リングライト２６０は、ユーザーに向けてエルイディ照明を提供することができる。
【００５９】
図５に示すように、ムードランプ２７０は、支持フレーム２３０の後面に装着され得る。ムードランプ２７０は、支持フレームの後面中心部を挟んで周方向に延びるラインエルイディ形態で提供され得る。ムードランプ２７０は、ディスプレイミラーユニット２００の後面が床面を向くように本体１００から９０度または７０度〜９０度などの特定の角度で回転されるときに（ジャイロセンサーを使用）、床面を向かってムード照明を照射するように制御され得る。
【００６０】
認識センサー２９０は、ユーザーの感知に応じて前記リングライト２６０のオンオフモードを動作させることができる。たとえば、ユーザーがメイクミラー２２０の前方に所定の距離内に位置されると、認識センサー２９０はユーザーを感知して、リングライト２６０をオンモードに作動させることができ、ユーザーがメイクミラー２２０の前方に所定の距離内に位置していないと、認識センサー２９０はユーザーを未感知して、リングライト２６０をオフモードに作動させることができる。
【００６１】
ライト調節モジュール２８０は、ユーザーによって一端から他端に接触移動されるとき、リングライト２６０の明るさ調節モードを作動することができる。このようなライト調節モジュール２８０は、メイクミラー２２０の後面に配置されるタッチスクリーンを含むことができる。一例として、ユーザーが一端から他端に接触移動すると、ライト調節モジュール２８０は、リングライト２６０の明るさを段々明るく調節することができる。ユーザーが他端から一端に接触移動すると、ライト調節モジュール２８０は、リングライト２６０の明るさを段々暗く調節することができる。
【００６２】
また、ライト調節モジュール２８０は、所定時間（一例として、２秒）タッチした状態を維持した時、リングライト２６０の色調節モードを作動することができる。たとえば、ユーザーがライト調節モジュール２８０の少なくとも一部を所定時間一度タッチすると、リングライト２６０の色は、第１の色モード（Ｎａｔｕｒｅ色）に変更されることができ、ユーザーがライト調節モジュール２８０の少なくとも一部を所定時間もう一度タッチすると、リングライト２６０の色が第２の色モード（Ｂｒｉｇｈｔ色）に変更されることができ、ユーザーが所定時間もう一度タッチすると、リングライト２６０の色は、第３の色モード（Ｗａｒｍ色）に変更され得る。
【００６３】
スピーカー３００は、人工知能ボイスアシスタントの音声信号を出力することができる。一例として、スピーカー３００は、ディスプレイモジュール２１０の人工知能ボイスアシスタントによって制御され得る。スピーカー３００は、本体１００の放射方向にサウンドを出力するように本体１００に内蔵され得る。
【００６４】
バッテリー４００は、充電式バッテリーであることができ、充電ポート１３０を介して外部から電源供給を受けることができる。また、バッテリー４００は、充電された電力をディスプレイミラーユニット２００、スピーカー３００などに供給することができる。
【００６５】
図６に示すように、コントローラ５００は、ディスプレイミラーユニット２００、スピーカー３００及びバッテリー４００を全体的に制御するためのＰＣＢ基板モジュールを含むことができる。コントローラ５００は、マイクプロセッサーを含む演算装置、メモリ、通信モジュールなどにより実現されることができ、その実現方法は当業者にとって自明な事項であるため、これ以上の詳細な説明を省略する。
【００６６】
一方、本実施形態に係るスマートデバイス１０は、スマートフォンなどの通信端末に提供されるアプリケーションと連動して動作することができる。たとえば、スマートデバイス１０は、通信端末に提供されるアプリケーションを介してリングライト２６０及びムードランプ２７０の色、明るさがそれぞれ調節されることができ、スピーカー３００のボリュームが調節され得る。
【００６７】
上述したように、本発明の一実施形態のスマートデバイス１０によると、カメラ２４０を正面から見た状態で自分撮り（自撮り）の撮影をした後、ユーザーは、ディスプレイモードのうち、肌診断モードとエーアールメイクモードを使用して自分の肌の状態を簡単に診断することができ、診断された肌の状態に適した美容製品（化粧品）を勧められることができる。また、ユーザーは、ディスプレイモードのうち人工知能ボイスアシスタントモードによっても、ユーザーはスマートデバイス１０を介して肌診断およびＡＲ（仮想現実）メイクモードを実行するために、カメラ２４０を正面から見た状態で自分取り（自撮り）の撮影をするために、ディスプレイモジュール２１０が縦方向に配向されるようにディスプレイミラーユニット２００を一方向に回転させることができ、スマートデバイス１０の人工知能ボイスアシスタントモードを使用する時、ディスプレイモジュール２１０が横方向に配向されるようにディスプレイミラーユニット２００を他方向に回転させることができる。
【００６８】
ユーザーは人工知能ボイスアシスタントモードのとき、ユーザーの音声信号によって、ユーザーが希望するミュージックはもちろん、生活情報（天気予報、ビューティーコンテンツ、最新のトレンドなど）を多様に提供してもらうことができる。また、ユーザーはメイクミラーの前面に設けられたリングライトを通じてスキンケアに役立つエルイディ照明を提供してもらうことができ、メイクミラーの後面を床面に向かって回転させると、メイクミラーの後面をムードランプとして使用することができている。
【００６９】
以上、本発明を好適な実施形態を用いて詳細に説明したが、本発明の範囲は、特定の実施形態に限定されるものではなく、添付の特許請求の範囲によって解釈されるべきである。また、当該技術分野における通常の知識を習得した者であれば、本発明の範囲を逸脱することなく、様々な修正と変形が可能であることを理解するはずであろう。
【要約】      （修正有）【課題】ディスプレイを備えて人工知能ボイスアシスタントと連動するスマートメイクミラーデバイスを提供する。【解決手段】ディスプレイを備えた人工知能ボイスアシスタントと連動するスマートメイクミラーデバイス１０は、本体１００、前記本体１００に回転可能に装着されるディスプレイミラーユニット２００、及びサウンドを出力するように前記本体１００に装着されるスピーカーを含み、前記ディスプレイミラーユニット２００は、ユーザーの音声信号またはタッチ信号に応じて所定のディスプレイモードを実行してイメージを出力するディスプレイモジュール２１０、及び前記ディスプレイモジュール２１０から出力されたイメージを選択的に透過させることができるように構成され、ミラー面を含むメイクミラー２２０を含む。【選択図】図１【図１】
0006906828.tif 000002
【図２】
0006906828.tif 000003
【図３】
0006906828.tif 000004
【図４】
0006906828.tif 000005
【図５】
0006906828.tif 000006
【図６】
0006906828.tif 000007